(57)【要約】【課題】シート状の表示物を容易に交換でき、且つ全体の美観を向上させると共に重量や製造コストを低減する表示物の挟持フレームを提供する。【解決手段】透明な表示面２４を形成すると共に表示面２４の裏面側外周に自着シートを配置した前面板２２と、表示物３６を背後で支持可能な支持面３４を形成すると共に支持面３４の外周に平滑面３５を配置した後面板２３とを備え、前面板２２と後面板２３は、自着シート及び平滑面３５を介して互いに着脱することにより、シート状の表示物３６を挟み込んで保持し得るよう構成される。これにより、シート状の表示物３６を容易に交換でき、且つ全体の美観を向上させると共に重量や製造コストを低減することができる。【選択図】図１
0003102001.tif 000002
【実用新案登録請求の範囲】
【請求項１】
透明な表示面を形成する前面板と、表示物を背後で支持可能な支持面を形成する後面板とを備え、且つ前記前面板の外周と前記後面板の外周の少なくとも一方に自着シートを配置し、前記前面板と後面板は、自着シートを介して互いに着脱することにより、シート状の表示物を挟み込んで保持し得るよう構成されたことを特徴とする表示物の挟持フレーム。
【請求項２】
透明な表示面を形成すると共に表示面の裏面側外周に自着シートを配置した前面板と、表示物を背後で支持可能な支持面を形成すると共に支持面の外周に平滑面を配置した後面板とを備え、前記前面板と後面板は、自着シート及び平滑面を介して互いに着脱することにより、シート状の表示物を挟み込んで保持し得るよう構成されたことを特徴とする表示物の挟持フレーム。
【請求項３】
透明な表示面を形成すると共に表示面の裏面側外周に自着シートを配置した前面板を備え、前記前面板は、平滑面を形成した対応面に自着シートを介して着脱することにより、シート状の表示物を挟み込んで保持し得るよう構成されたことを特徴とする表示物の挟持フレーム。
【請求項４】
自着シートは、平滑面に対して吸盤作用を為し得るよう無数で微細なセルを備えた請求項１、２又は３記載の表示物の挟持フレーム。
【請求項５】
前面板には、前面に装飾面を形成し且つ自着シートを覆い隠し得る枠部を備えた請求項１、２、３又は４記載の表示物の挟持フレーム。
【考案の詳細な説明】
【技術分野】
【０００１】
本考案は、表示物を展示し得る表示物の挟持フレームに関するものである。
【背景技術】
【０００２】
一般に、ポスタ、チラシ、写真等のシート状の表示物は、挟持フレームを用いて展示されることが多く、挟持フレームは、透明な板で形成される前面板と、前面板と略同形状に形成される後面板と、前面板と後面板を締結し得るよう前面板の外周部と後面板の外周部を押え込む矩形の外周枠部とを備えている。
【０００３】
挟持フレームを用いてシート状の表示物を展示する際には、表示物を前面板と後面板の間に挟み込み、外周枠部を取り付けて前面板と後面板を締結することにより、壁掛けや立掛け等を介して表示物を展示可能な状態にする。又、シート状の表示物を交換する際には、外周枠部を取り外して前面板と後面板を分離することにより表示物を新たな表示物に取り換え、表示物を展示する際と略同様に、新たな表示物を前面板と後面板の間に挟み込み、外周枠部を取り付けて前面板と後面板を締結することにより、表示物の交換を完了する。
【０００４】
一方、他の例の挟持フレームは、前面板と後面板を変形して備えたものがあり、図８は従来の前面板と後面板で表示物を挟持する状態を示す概念図、図９は図８のＩＸ−ＩＸ方向矢視図、図１０は図８のＸ−Ｘ方向矢視図、図１１は図８のＸＩ−ＸＩ方向矢視図、図１２は図８のＸＩＩ−ＸＩＩ方向矢視図である。
【０００５】
挟持フレーム１の前面板２は、透明な表示面４を備えると共に、表示面４の枠外の表裏に、所定幅の表側枠体５と裏側枠体６を接着材を介して貼付することにより、表示面４の外周に前面枠部７を配置している。又、前面枠部７を形成する表側枠体５と裏側枠体６の表面には、ポリプロピレン被膜８を形成するようポリプロピレン加工（ＰＰ加工）が施されている。更に、前面板２の前面枠部７を形成する裏側枠体６は、露出する表示面４の外周を囲むよう、四つの隅部にＬ状の切り欠き９を備えており、切り欠き９には、金属プレート１０が接着剤により固定されている。
【０００６】
挟持フレーム１の後面板３は、前面板２の表示面４と略同形状の支持面１１を備えると共に、支持面１１の外周に後面枠部１２を備えている。又、後面枠部１２の表面には、ポリプロピレン被膜１３を形成するようポリプロピレン加工（ＰＰ加工）が施されている。更に、後面板３の後面枠部１２は、前面板２の前面枠部７の金属プレート１０に対応して支持面１１の外周を囲むよう、四つの隅部にＬ状の切り欠き１４を備えており、切り欠き１４には、磁石１５が接着剤により固定されている。
【０００７】
他の例の挟持フレーム１に用いてシート状の表示物１６を展示する際には、表示物１６を後面板３の支持面１１に配置し、前面板２の金属プレート１０と後面板３の磁石１５とを着接することにより、前面板２と後面板３に締結して表示物１６を挟み込み、表示物１６を展示可能な状態にする。又、挟持フレーム１でシート状の表示物１６を交換する際には、前面板２の金属プレート１０と後面板３の磁石１５とを引き剥がすよう前面板２と後面板３を互いに分離し、表示物１６を新たな表示物１６に取り換え、表示物１６を展示する際と略同様に、新たな表示物１６を前面板２と後面板３の間に挟み込みよう、金属プレート１０と磁石１５により前面板２と後面板３を締結して表示物１６の交換を完了する。ここで、表示物の挟持フレームに関連する先行技術文献としては、下記の特許文献１等が既に存在している。
【特許文献１】実用新案登録第３０９５７２３号公報
【考案の開示】
【考案が解決しようとする課題】
【０００８】
しかしながら、他の例の挟持フレームの如く、前面板２の金属プレート１０と後面板３の磁石１５を着脱してシート状の表示物を容易に交換し得るものであっても、金属プレート１０や磁石１５によって外周枠部が大きくなるため、全体の美観が悪くなると共に重量や製造コストが増加するという問題があった。
【０００９】
本考案は、上述の実情に鑑み、シート状の表示物を容易に交換でき、且つ全体の美観を向上させると共に重量や製造コストを低減する表示物の挟持フレームを提供することを目的とするものである。
【課題を解決するための手段】
【００１０】
本考案の請求項１は、透明な表示面を形成する前面板と、表示物を背後で支持可能な支持面を形成する後面板とを備え、且つ前記前面板の外周と前記後面板の外周の少なくとも一方に自着シートを配置し、前記前面板と後面板は、自着シートを介して互いに着脱することにより、シート状の表示物を挟み込んで保持し得るよう構成されたことを特徴とする表示物の挟持フレーム、にかかるものである。
【００１１】
本考案の請求項２は、透明な表示面を形成すると共に表示面の裏面側外周に自着シートを配置した前面板と、表示物を背後で支持可能な支持面を形成すると共に支持面の外周に平滑面を配置した後面板とを備え、前記前面板と後面板は、自着シート及び平滑面を介して互いに着脱することにより、シート状の表示物を挟み込んで保持し得るよう構成されたことを特徴とする表示物の挟持フレーム、にかかるものである。
【００１２】
本考案の請求項３は、透明な表示面を形成すると共に表示面の裏面側外周に自着シートを配置した前面板を備え、前記前面板は、平滑面を形成した対応面に自着シートを介して着脱することにより、シート状の表示物を挟み込んで保持し得るよう構成されたことを特徴とする表示物の挟持フレーム、にかかるものである。
【００１３】
本考案の請求項４は、自着シートは、平滑面に対して吸盤作用を為し得るよう無数で微細なセルを備えた請求項１、２又は３記載の表示物の挟持フレーム、にかかるものである。
【００１４】
本考案の請求項５は、前面板には、前面に装飾面を形成し且つ自着シートを覆い隠し得る枠部を備えた請求項１、２、３又は４記載の表示物の挟持フレーム、にかかるものである。
【００１５】
このように、請求項１又は２によれば、シート状の表示物を交換する際には、自着シートにより前面板と後面板を着脱し得るので、表示物を容易に交換することができる。又、自着シートは外周に配置されるので、外周枠が大きくなることを防止し、全体の美観を向上させることができる。更に、磁石や金属プレート等に部材を用いることなく、自着シートにより着脱し得るので、重量や製造コストを大幅に低減することができる。
【００１６】
請求項３によれば、シート状の表示物を交換する際には、自着シートにより、平滑面を備える対応面に対して前面板を着脱し得るので、表示物を容易に交換することができる。又、自着シートは前面板の外周に配置されるので、前面板の外周枠が大きくなることを防止し、全体の美観を向上させることができる。更に、磁石や金属プレート等に部材を用いることなく、自着シートにより前面板を着脱し得るので、重量や製造コストを大幅に低減することができる。
【００１７】
請求項４に示す如く、自着シートは、平滑面に対して吸盤作用を為し得るよう無数で微細なセルを備えると、平滑面に対して容易に着脱し得るので、表示物を一層容易に交換することができる。
【００１８】
請求項５に示す如く、前面板には、前面に装飾面を形成し且つ自着シートを覆い隠し得る枠部を備えると、全体の美観を一層向上させることができる。
【考案の効果】
【００１９】
以上説明したように、本考案の表示物の挟持フレームによれば、自着シートを用いるので、シート状の表示物を容易に交換でき、且つ全体の美観を向上させると共に重量や製造コストを低減するという種々の優れた効果を奏し得る。
【考案を実施するための最良の形態】
【００２０】
初めに本考案の実施の形態の第一例を図面に基いて説明する。
【００２１】
図１は本考案の実施の形態の第一例において前面板と後面板で表示物を挟持する状態を示す概念図、図２は図１のＩＩ−ＩＩ方向矢視図、図３は前面板の他の例を示す断面図、図４は図１のＩＶ−ＩＶ方向矢視図、図５は自着シートが平滑面に吸着する前の状態を示す概略図、図６は自着シートが平滑面に吸着する直前の状態を示す概略図である。
【００２２】
第一例の表示物の挟持フレーム２１は前面板２２と後面板２３を備えており、前面板２２は、塩ビ、ポリエチレンテレフタレート（ＰＥＴ）等の樹脂からなる透明な表示面２４を備えると共に、表示面２４の裏面側外周には、所定幅の自着シート２５を両面テープ等の接着手段２６を介して貼付し、表示面２４の表面側外周には、自着シート２５を覆い隠し得る所定幅の枠部２７を、接着剤（図示せず）を介して貼付している。
【００２３】
自着シート２５は、図５、図６に示す如く、アクリル系樹脂によって無数で微細なセル２８を備えたフォーム層の着接部２９と、ポリエチレンテレフタレート（ＰＥＴ）やポリエステル等の樹脂フィルム３０とを備えており、自着シート２５の樹脂フィルム３０にはスポンジ等の基材（図示せず）を適宜備えている。又、自着シート２５を使用する前には、着接部２９の着脱面３１に剥離可能な保護用の剥離紙（図示せず）を備えている。一方、枠部２７は、前面に、所定のキャラクター等のデザイン、広告等の凹凸形状の加工や、同様な模様、色彩を印刷し得る装飾面３２を形成しており、装飾面３２には、ポリプロピレン被膜３３を形成するようポリプロピレン加工（ＰＰ加工）を施している。又、枠部２７は、軽量の材質として紙の材質を使用して構成されており、紙の材質は薄い紙を積層して所定厚に形成されている。
【００２４】
ここで、図３に示す如く、前面板２２の他の例である前面板２２ａを示すと、他の例の前面板２２ａは、表示面２４の裏面側外周に、表示面２４側に装飾面３２ａを備えた所定幅の枠部２７ａを、接着剤（図示せず）により貼付し、更に枠部２７ａの裏面に、自着シート２５を両面テープ等の接着手段２６を介して貼付している。なお、他の例の前面板２２ａは、このような構成により、装飾面３２ａを表示面２４を介して外部に見せるようにしている。
【００２５】
表示物の後面板２３は、前面板２２の表示面２４と略同形状の支持面３４を備えると共に、支持面３４の外周に自着シート２５と略同形状の平滑面３５を備えており、平滑面３５には、ポリプロピレン加工（ＰＰ加工）等の処理により均一な平面を形成している。ここで、支持面３４と平滑面３５は、軽量の材質として紙の材質を使用して構成されており、紙の材質は、薄い紙を積層することにより支持面３４と平滑面３５の範囲の全体形状を形成すると共に、平滑面３５の形状を積層して支持面３４を凹状に形成している。なお、後面板２３は、平滑面３５を備えるならば、支持面３４と平滑面３５を同一平面にしてもよいし、他の形状、材質にしてもよい。
【００２６】
又、後面板２３の裏面には、フック、吊り下げ孔、両面テープ等の設置手段（図示せず）を備えて、壁面やスタンド等に配置し得るように構成することが好ましい。
【００２７】
以下、本考案の実施の形態の第一例の作用を説明する。
【００２８】
第一例の表示物の挟持フレーム２１を用いてシート状の表示物３６を展示する際には、表示物３６を後面板２３の支持面３４に配置し、自着シート２５を平滑面３５に着接することにより、前面板２２と後面板２３を着接して表示物３６を挟み込み、表示物３６を展示可能な状態にする。
【００２９】
この時、自着シート２５は、図５、図６に示す如く、フォーム層の着接部２９中の無数のセル２８が吸盤作用を示すことにより、着接部２９と平滑面３５の間からエアーを脱気し、平滑面３５に着接される。
【００３０】
挟持フレーム２１でシート状の表示物３６を交換する際には、自着シート２５を平滑面３５から引き剥がすよう前面板２２と後面板２３を互いに分離し、表示物３６を新たな表示物３６に取り換え、表示物３６を展示する際と略同様に、自着シート２５により前面板２２と後面板２３を締結して表示物３６の交換を完了する。
【００３１】
このように、第一例によれば、シート状の表示物３６を交換する際には、自着シート２５により前面板２２と後面板２３を着脱し得るので、表示物３６を容易に交換することができる。又、自着シート２５は前面板２２の外周に配置されるので、外周枠が大きくなることを防止し、全体の美観を向上させることができる。更に、磁石や金属プレート等に部材を用いることなく、自着シート２５により着脱し得るので、重量や製造コストを大幅に低減することができる。更に又、後面板２３に支持面３４を備えるので、前面板２２と後面板２３との間で表示物３６を安定的に保持することができる。又、前面板２２と後面板２３を完全に分離し得るので、前面板２２及び後面板２３を、形状、模様及び色彩を変えた他の前面板２２及び他の後面板２３に容易に交換することができる。
【００３２】
自着シート２５は、平滑面３５に対して吸盤作用を為し得るよう無数で微細なセル２８を備えると、平滑面３５に対して容易に着脱し得るので、表示物３６を一層容易に交換することができる。又、自着シート２５は、平滑面３５に対して何度でも貼り付けや剥離を行うことができる。更に、自着シート２５は平滑面３５を汚したり、傷つけたりすることがない。更に又、べとつかないので、容易に取り扱うことができる。
【００３３】
前面板２２には、前面に装飾面３２を形成し且つ自着シート２５を覆い隠し得る枠部２７を備えると、全体の美観を一層向上させることができる。又、自着シート２５を樹脂等の材質で形成すると共に、前面板２２及び後面板２３を紙の材質で形成すると、自着シート２５、前面板２２及び後面板２３を容易に軽量化すると共に、前面板２２及び後面板２３が落下した際に衝撃を吸収するので、前面板２２及び後面板２３の破損を防止することができる。
【００３４】
次に本考案の実施の形態の第二例を図面に基いて説明する。
【００３５】
図７は本考案の実施の形態の第二例において前面板と後面板で表示物を挟持する状態を示す概念図である。
【００３６】
第二例の表示物の挟持フレーム４１は前面板４２を備えており、前面板４２は、第一例の前面板２２と略同様に、塩ビ、ポリエチレンテレフタレート（ＰＥＴ）等の樹脂からなる透明な表示面４３を備えると共に、表示面４３の裏面側外周には、第一例と略同様に、所定幅の自着シート（図示せず）を両面テープ等の接着手段を介して貼付し、表示面４３の表面側外周には、自着シートを覆い隠し得る所定幅の枠部４４を、接着剤を介して貼付している。又、前面板４２は、第一例における他の例の前面板２２ａのように構成してもよい。ここで、自着シートは、第一例と略同様に構成されている。
【００３７】
以下、本考案の実施の形態の第二例の作用を説明する。
【００３８】
第二例の表示物の挟持フレーム４１を用いてシート状の表示物（図示せず）を展示する際には、表示物を、平滑面４５を備えた壁やガラス等の対応面４６に押えるよう仮配置し、前面板４２の自着シートを平滑面４５に着接することにより、前面板４２と、平滑面４５を備えた対応面４６とに表示物を挟み込み、表示物を展示可能な状態にする。
【００３９】
この時、自着シートは、第一例と略同様に、平滑面４５を備えた対応面４６の間からエアーを脱気し、平滑面４５に着接される。
【００４０】
挟持フレーム４１でシート状の表示物を交換する際には、前面板４２の自着シートを、壁やガラス等の対応面４６の平滑面４５から引き剥がすよう、前面板４２と、平滑面４５の対応面４６とを互いに分離し、表示物を新たな表示物に取り換え、表示物を展示する際と略同様に、自着シートにより、前面板４２と、平滑面４５の対応面４６とを締結して表示物の交換を完了する。
【００４１】
このように、第二例によれば、シート状の表示物を交換する際には、自着シートにより、平滑面４５を備える対応面４６に対して前面板４２を着脱し得るので、表示物を容易に交換することができる。又、自着シートは前面板４２の外周に配置されるので、前面板４２の外周枠が大きくなることを防止し、全体の美観を向上させることができる。更に、磁石や金属プレート等に部材を用いることなく、自着シートにより前面板４２を着脱し得るので、重量や製造コストを大幅に低減することができる。更に又、前面板４２と、平滑面４５を備えた対応面４６とを完全に分離し得るので、前面板４２を、形状、模様及び色彩を変えた他の前面板４２に容易に交換することができる。
【００４２】
又、第二例によれば、第一例と同様の作用効果を得ることができる。
【００４３】
なお、本考案は、上述の実施の形態にのみ限定されるものではなく、第一例において自着シートを後面板に備えてもよいこと、自着シートを外周の一部に配置してもよいこと、その他、本考案の要旨を逸脱しない範囲内において種々変更を加え得ることは勿論である。
【図面の簡単な説明】
【００４４】
【図１】本考案の実施の形態の第一例において前面板と後面板で表示物を挟持する状態を示す概念図である。
【図２】図１のＩＩ−ＩＩ方向矢視図である。
【図３】前面板の他の例を示す断面図である。
【図４】図１のＩＶ−ＩＶ方向矢視図である。
【図５】自着シートが平滑面に吸着する前の状態を示す概略図である。
【図６】自着シートが平滑面に吸着する直前の状態を示す概略図である。
【図７】本考案の実施の形態の第二例において前面板と平滑面で表示物を挟持する状態を示す概念図である。
【図８】従来の前面板と後面板で表示物を挟持する状態を示す概念図である。
【図９】図８のＩＸ−ＩＸ方向矢視図である。
【図１０】図８のＸ−Ｘ方向矢視図である。
【図１１】図８のＸＩ−ＸＩ方向矢視図である。
【図１２】図８のＸＩＩ−ＸＩＩ方向矢視図である。
【符号の説明】
【００４５】
２２    前面板
２２ａ  前面板
２３    後面板
２４    表示面
２５    自着シート
２７    枠部
２７ａ  枠部
２８    セル
３２    装飾面
３２ａ  装飾面
３４    支持面
３５    平滑面
３６    表示物
４２    前面板
４３    表示面
４４    枠部
４５    平滑面
４６    対応面
【図１】
0003102001.tif 000003
【図２】
0003102001.tif 000004
【図３】
0003102001.tif 000005
【図４】
0003102001.tif 000006
【図５】
0003102001.tif 000007
【図６】
0003102001.tif 000008
【図７】
0003102001.tif 000009
【図８】
0003102001.tif 000010
【図９】
0003102001.tif 000011
【図１０】
0003102001.tif 000012
【図１１】
0003102001.tif 000013
【図１２】
0003102001.tif 000014